(57)【特許請求の範囲】
【請求項１】
突出した薄板状の電極を有する複数のセル電池を接続する接続装置であって、ハウジングと該ハウジングに保持された導電性のバスバーとを含み、前記ハウジングは一面側に前記電極が挿入される電極挿入用スリットを有し、前記バスバーは前記電極挿入用スリット内に配設された電極接合部を有し、前記電極挿入用スリットは前記電極が前記電極接合部の側方を通ることを許すように形成され、前記電極挿入用スリットの内壁は、前記電極挿入用スリットに挿入された前記電極に係合しかつ前記電極の挿入の進行にしたがい該電極を前記電極接合部に向けて変形させる作用面を有し、前記ハウジングの他面側には前記電極挿入用スリットに連通する接合用スリットを有し、該接合用スリットを介して前記電極を前記電極接合部に接合可能に構成されたことを特徴とする接続装置。
【請求項２】
前記電極挿入用スリットは、２つのセル電池の電極が前記電極接合部の両側方をそれぞれ通ることを許すように形成され、前記作用面は前記２つのセル電池の電極にそれぞれ対応するよう２つ設けられていることを特徴とする、請求項１に記載の接続装置。
【請求項３】
前記２つの作用面は、前記電極の挿入方向に対し互いに反対向きに傾斜した２つの傾斜面をそれぞれ有することを特徴とする、請求項２に記載の接続装置。
【請求項４】
前記２つの傾斜面は、前記電極の挿入方向で互いに位置ずれしており、これにより前記電極の挿入の進行にしたがい前記電極を前記電極接合部上で重なり合うように変形させるものであることを特徴とする、請求項３に記載の接続装置。
【請求項５】
前記ハウジングは前記電極挿入用スリットを複数有し、前記バスバーは前記電極接合部を複数有し、前記複数の電極接合部は前記複数の電極挿入用スリットにそれぞれ配設されかつ互いに連結されていることを特徴とする、請求項１から４のいずれか一項に記載の接続装置。
【請求項６】
前記バスバーはピンを有することを特徴とする、請求項１から５のいずれか一項に記載の接続装置。
【請求項７】
前記ハウジングはコネクタ嵌合部を有し、前記ピンは前記コネクタ嵌合部に備えられていることを特徴とする、請求項６に記載の接続装置。
【請求項８】
前記一面側と前記他面側とは前記ハウジングの互いに反対側にある、請求項１から７のいずれか一項に記載の接続装置。
【請求項９】
前記一面側は前記ハウジングの他面側に隣接した側部であり、前記電極挿入用スリットは前記側部に開口しており、前記電極が前記ハウジングの側部から前記電極挿入用スリットに挿入可能になっていることを特徴とする、請求項１から７のいずれか一項に記載の接続装置。
【請求項１０】
薄板状の電極を有する複数のセル電池と、前記電極が上方に突出するようにして前記複数のセル電池を並行に収納保持した上方開口の箱状のベースハウジングと、前記ベースハウジングに前記上方開ロを覆うように被されたカバーハウジングとを含み、前記カバーハウジングが請求項８に記載の接続装置からなることを特徴とするセル電池。
【請求項１１】
薄板状の電極を有する複数のセル電池と、前記電極が上方に突出するようにして前記複数のセル電池を並行に収納保持した側方開口の箱状のベースハウジングと、該ベースハウジングの側方開口部を覆うように被されたカバーハウジングとを含み、前記ベースハウジングの上板部が請求項９に記載の接続装置からなることを特徴とするセル電池。
【発明の詳細な説明】
【技術分野】
【０００１】
本発明は、電池間を接続する装置に関する。
【背景技術】
【０００２】
近年、リチウムイオン電池などを用いたラミネートセル等と呼ばれるシート状の電池（ここでは、これを「セル電池」と呼ぶ）が開発されている。この種のセル電池は薄く形成されているので、複数枚を厚み方向に隣接配置することで、比較的大容量の電池パックをコンパクトに構成することができる。その場合、電池パックの複数枚のセル電池は互いに直列及び／又は並列に電気的に接続される。
【０００３】
特許文献１では、セル電池を互いに電気的に接続するのに、セル電池の外方に突出した薄板状の電極を折り曲げてバスバーと呼ばれる導電性部材に接触させ、この状態で電極をバスバーに固定することが提案されている。
【０００４】
特許文献１に開示された技術について、図４５を用いて簡単に説明する。１つの電池セル１Ａの電極タブ１ａがバスバー２の上面２ａに接合されており、他の電池セル１Ｂの電極タブ１ｂがバスバー２の側面２ｂに接合されている。
【先行技術文献】
【特許文献】
【０００５】
【特許文献１】ＷＯ２００７／０６３８７７
【発明の概要】
【発明が解決しようとする課題】
【０００６】
しかしながら、特許文献１においては、電池セルの電極タブをバスバーに接続する際に電極タブを１つずつ折り曲げる必要があり、これにより組立て工数が非常に多くなってしまう。
【０００７】
それ故に本発明の課題は、セル電池の電極間を簡単に接続できる接続装置を提供することにある。
【課題を解決するための手段】
【０００８】
本発明の一態様によれば、突出した薄板状の電極を有する複数のセル電池を接続する接続装置であって、ハウジングと該ハウジングに保持された導電性のバスバーとを含み、前記ハウジングは一面側に前記電極が挿入される電極挿入用スリットを有し、前記バスバーは前記電極挿入用スリット内に配設された電極接合部を有し、前記電極挿入用スリットは前記電極が前記電極接合部の側方を通ることを許すように形成され、前記電極挿入用スリットの内壁は、前記電極挿入用スリットに挿入された前記電極に係合しかつ前記電極の挿入の進行にしたがい該電極を前記電極接合部に向けて変形させる作用面を有し、前記ハウジングの他面側には前記電極挿入用スリットに連通する接合用スリットを有し、該接合用スリットを介して前記電極を前記電極接合部に接合可能に構成されたことを特徴とする接続装置が得られる。
【０００９】
前記電極挿入用スリットは、２つのセル電池の電極が前記電極接合部の両側方をそれぞれ通ることを許すように形成され、前記作用面は前記２つのセル電池の電極にそれぞれ対応するよう２つ設けられていてもよい。
【００１０】
前記２つの作用面は、前記電極の挿入方向に対し互いに反対向きに傾斜した２つの傾斜面をそれぞれ有してもよい。
【００１１】
前記２つの傾斜面は、前記電極の挿入方向で互いに位置ずれしており、これにより前記電極の挿入の進行にしたがい前記電極を前記電極接合部上で重なり合うように変形させるものであってもよい。
【００１２】
前記ハウジングは前記電極挿入用スリットを複数有し、前記バスバーは前記電極接合部を複数有し、前記複数の電極接合部は前記複数の電極挿入用スリットにそれぞれ配設されかつ互いに連結されていてもよい。
【００１３】
前記バスバーは出力用ピン及びＣＳピンの少なくとも一方を有してもよい。
【００１４】
前記ハウジングはコネクタ嵌合部を有し、前記少なくとも一方は前記コネクタ嵌合部に備えられていてもよい。
【００１５】
一例として、前記一面側と前記他面側とは前記ハウジングの互いに反対側にあってもよい。
【００１６】
他例として、前記一面側は前記ハウジングの他面側に隣接した側部であり、前記電極挿入用スリットは前記側部に開口しており、前記電極が前記ハウジングの側部から前記電極挿入用スリットに挿入可能になっていてもよい。
【００１７】
本発明の他の態様によれば、薄板状の電極を有する複数のセル電池と、前記電極が上方に突出するようにして前記複数のセル電池を並行に収納保持した上方開口の箱状のベースハウジングと、前記ベースハウジングに前記上方開ロを覆うように被されたカバーハウジングとを含み、前記カバーハウジングが上記一例に記載の接続装置からなることを特徴とするセル電池が得られる。
【００１８】
本発明の他の態様によれば、薄板状の電極を有する複数のセル電池と、前記電極が上方に突出するようにして前記複数のセル電池を並行に収納保持した側方開口の箱状のベースハウジングと、該ベースハウジングの側方開口部を覆うように被されたカバーハウジングとを含み、前記ベースハウジングの上板部が上記他例に記載の接続装置からなることを特徴とするセル電池が得られる。
【発明の効果】
【００１９】
本発明の一態様による電池間接続装置は、複数のセル電池とバスバーとの接続を一括で行うことを容易に可能とする。
【図面の簡単な説明】
【００２０】
【図１】本発明の実施例１に係る電池間接続装置を複数のセル電池とともに分解状態で示す斜視図。
【図２】図１の電池間接続装置に含まれたカバーの上面側から見た斜視図。
【図３】同カバーの上面図。
【図４】同カバーの下面図。
【図５】同カバーの下面側から見た斜視図。
【図５Ａ】同カバーの下面側から見た断面斜視図。
【図６】図１の電池間接続装置に含まれたベースの斜視図。
【図７】図６のＡ−Ａ線断面斜視図。
【図８】図１の電池間接続装置におけるベースにセル電池が装着されかつカバーが嵌合される前の状態を示す斜視図で、カバーにバスバーが予め取り付けられている。
【図９】図１の電池間接続装置におけるベースにセル電池が装着されかつカバーが嵌合途中の状態を示す斜視図。
【図１０】図９のＢ−Ｂ線断面拡大図。
【図１０Ａ】図１０の部分拡大図。
【図１１】図１の電池間接続装置におけるベースにセル電池が装着されかつカバーが嵌合された後の状態を示す斜視図。
【図１２】図１１のＣ−Ｃ線断面図。
【図１２Ａ】図１２の部分拡大図。
【図１３】図１２に示す状態の電池間接続装置を溶着ヘッドとともに示すバスバーに電極を溶着する前の断面図。
【図１４】図１２に示す状態の電池間接続装置を溶着ヘッドとともに示すバスバーに電極を溶着した後の断面図。
【図１５】図１の電池間接続装置の変形例を示す、図１２と同様な断面図。
【図１５Ａ】図１５のXVa部の拡大図。
【図１５Ｂ】図１５のXVb部の拡大図。
【図１６】図１の電池間接続装置の他の変形例を示す、バスバーに電極を溶着する前の部分斜視図。
【図１７】同じくバスバーに電極を溶着した後の部分斜視図。
【図１８】図１６及び図１７に示す変形例に係る電池間接続装置のベースにセル電池が装着されかつカバーが嵌合された後の最終嵌合状態を示す斜視図。
【図１９】図１８のＤ−Ｄ線断面斜視図。
【図２０】本発明の実施例２に係る電池間接続装置を複数のセル電池とともに分解状態で示す斜視図。
【図２１】図２０の電池間接続装置に含まれたカバーの斜視図。
【図２２】図２０の電池間接続装置に含まれたベースの斜視図。
【図２３】図２２のＥ−Ｅ線断面斜視図。
【図２４】図２０の電池間接続装置におけるベースにセル電池を装着する途中の状態を示す斜視図。
【図２５】図２４の見る向きを少し変えた部分拡大斜視図。
【図２６】同じく部分拡大側面図。
【図２７】図２０の電池間接続装置におけるベースにセル電池を装着した後の状態を示す斜視図。
【図２８】図２７のＦ−Ｆ線断面の一部のみを示す拡大図。
【図２９】図２０の電池間接続装置を溶着ヘッドとともに示すバスバーに電極を溶着する前の断面図。
【図３０】図２０の電池間接続装置を溶着ヘッドとともに示すバスバーに電極を溶着した後の断面図。
【図３１】図２０の電池間接続装置の変形例を示す、図１５と同様な断面図。
【図３１Ａ】図３１のXXXIa部の拡大図。
【図３１Ｂ】図３１のXXXIb部の拡大図。
【図３２】図３１に示す変形例に係る電池間接続装置の最終嵌合状態を示す斜視図。
【図３３】図３２のＧ−Ｇ線断面斜視図。
【図３４】本発明の実施例３に係る電池間接続装置を複数のセル電池とともに分解状態で示す斜視図。
【図３５】図３４の電池間接続装置に含まれたカバーの斜視図。
【図３６】図３６のＨ−Ｈ線断面斜視図。
【図３７】図３４の電池間接続装置におけるベースにセル電池が装着されかつカバーが嵌合される前の状態を示す斜視図で、カバーにバスバーが予め取り付けられている。
【図３８】図３４の電池間接続装置のベースにセル電池が装着されかつカバーが嵌合された後の最終嵌合状態を示す斜視図。
【図３９】図３８のＩ−Ｉ線断面斜視図。
【図４０】図３８のＪ−Ｊ線断面斜視図。
【図４１】本発明の実施例４に係る電池間接続装置を複数のセル電池とともに分解状態で示す斜視図。
【図４２】図４１の電池間接続装置を組み立て後の状態で基板とともに示す斜視図。
【図４３】図４２の電池間接続装置を基板に実装した状態で示す斜視図。
【図４４】図４３の要部のみの拡大図。
【図４５】特許文献１（ＷＯ２００７／０６３８７７公報）に開示された技術を説明するための断面図。
【発明を実施するための形態】
【００２１】
まず、本発明の実施形態に係る電池間接続装置について概略的に説明する。この電池間接続装置は、主に複数のリチウムイオン電池ラミネートセル（ここでは「セル電池」又は「ラミネートセル」と呼ぶ）間を接続するためのラミネートセル用コネクタとして実施され得るものであり、導電性のバスバー、絶縁性のカバーハウジング（以下、「カバー」という）、及び絶縁性のベースハウジング（以下、「ベース」という）を含んでいる。バスバーは予めカバーに組み込まれる。カバーにはラミネートセルの薄板状の電極の位置決めを行う電極挿入用スリットが設けられている。電極挿入用スリットにはラミネートセルの電極を変形させる為の作用面が設けられている。
【００２２】
ラミネートセルをベースに装着し、電極挿入溝にラミネートセルの電極を挿入しつつ、カバーをベースにセットする。このとき、ラミネートセルの電極がカバーの作用面によりバスバーに向けて自動的に変形され、バスバーに対する電極の接続を一括で行うことが可能となる。こうしてラミネートセル用コネクタ即ち電池間接続装置の組立ての容易性を実現している。
【００２３】
上述した実施形態ではバスバー、電極挿入溝、及び作用面をカバーに設けているが、これらをベースに設けた形態で実施することもできる。
【００２４】
なお、この電池間接続装置によって複数のセル電池を接続してなるものをここでは電気デバイスと呼ぶ。
【００２５】
以下、図面を参照して、様々な実施例について説明する。
【００２６】
図１〜図１９を用いて、実施例１に係る電池間接続装置を説明する。
【００２７】
この電池間接続装置は、絶縁性のベース２０、ベース２０に嵌合される絶縁性のカバー３０、及びカバー３０に組み込まれる金属製のバスバー４０を基本的部品として含み、さらに、バスバー４０に接続される電源用及び温度モニタ用のコネクタ５０とこれらのコネクタに付随するケーブル６０とを含んでいる。
【００２８】
ベース２０にはラミネートセル１０の整列と位置決めを行う為の位置決め用スリット２０ａが設けられている。カバー３０の下面側には、ラミネートセル１０の薄板状の電極１０ａを挿入するための電極挿入用スリット３０ａが設けられている。電極挿入用スリット３０ａには、隣り合うラミネートセル１０の各電極１０ａが対になって挿入可能になっている。電極挿入用スリット３０ａの奥部の対向側壁には、傾斜面からなる面取り３０ｂがそれぞれ施されている。またカバー３０の上面側には、溶着ヘッドを挿入するための接合用スリット３０ｄが予め設けられている。接合用スリット３０ｄは電極挿入用スリット３０ａに連通している。バスバー４０は、出力用ピン４０ａと、ＣＳ用ピン４０ｂと、互いに平行な複数の電極接合部４０ｃとを有している。
【００２９】
次に、電池間接続装置の組立工程及びこれによる電池接続工程を説明する。
【００３０】
まずラミネートセル（セル電池）１０をベース２０に装着する。この時、ラミネートセル１０の下部をベース２０のスリット２０ａに挿入する事で、ラミネートセル１０は自動的に整列、位置決めされる。一方、カバー３０に対しバスバー４０を、電極接合部４０ｃが電極挿入用スリット３０ａにそれぞれ配置された状態に組み込む。組込み方法としてはいくつか考えられるが、主な方法としては圧入、モールドインなどが挙げられる。
【００３１】
続いて、このバスバー４０が組み込まれたカバー３０を、ラミネートセル１０が組み込まれたベース２０に上方から嵌合させる。ベース２０に位置決め用ガイド２０ｂが設けられており、カバー３０をこのガイド２０ｂに沿って挿入するだけで、カバー３０はベース２０に自動的にセットされる。カバー３０を組み込む過程において、電極１０ａが面取り３０ｂに干渉する（特に図１０及び図１０Ａ参照）。
【００３２】
さらにカバー３０を押し込んでいくと、電極１０ａはカバー３０の面取り３０ｂに干渉しこれに沿ってそれぞれバスバー４０の電極接合部４０ｃに向かって倒れるように変形する（特に図１２及び図１２Ａ参照）。このとき、面取り３０ｂは上述した作用面として働き、電極１０ａの先端部を接合用スリット３０ｄに対向した状態にさせる。電極１０ａが変形した状態で、カバー３０に設けられたラッチ部３０ｃがベース２０のバネ部２０ｃに引っかかり、ベース２０とカバー３０との嵌合が完了し、かつその嵌合が抜ける事は無い。
【００３３】
続いて、電極１０ａをバスバー４０に接続する工程を説明する。先に述べたように、カバー３０の嵌合により電極１０ａが既に変形し、その先端部が接合用スリット３０ｄに対向している。この為、図１３に示すように接合用スリット３０ｄから溶着ヘッド７０を挿入すると、溶着ヘッド７０に押されて電極１０ａが自動的に折り重なるように変形し、図１４に示すように電極接合部４０ｃに圧接される。したがって、多数の電極１０ａを一括でバスバー４０に容易に接続できる。接続方法としては主に溶接や溶着が挙げられる。以上の工程によりラミネートセル１０は連結される。
【００３４】
なお、図１５に示す変形例のように、隣り合うラミネートセル１０の位置決め用スリット２０ａ及びカバー３０の面取り３０ｂに上下方向の段差を設けてもよい。これによれば、溶着時に電極１０ａが互いに干渉する事を防ぎ、より確実に溶着を行うことが可能となる。
【００３５】
また、電極１０ａは必ずしも折り重なる必要は無く、図１６及び図１７に示すようにバスバー４０の電極接合部４０ｃの異なる位置に圧接されて接続されてもよい。これにより、ラミネートセル１０の実装における自由度を上げることが出来る。
【００３６】
最後に、コネクタ５０をバスバー４０に接続し、接続完了となる（図１８及び図１９参照）。即ち、バスバー４０の出力用ピン４０ａに正極ケーブル６０ａ及び負極ケーブル６０ｂを接続し、また、バスバー４０のＣＳ用ピン４０ｂにＣＳケーブル６０ｃを接続する。これにより、すべてのラミネートセル１０の電極端子（正極）における温度モニタリング等ができる。
【００３７】
図２０〜図３３を用いて、実施例２に係る電池間接続装置を説明する。実施例１はラミネートセル１０が鉛直方向に挿入されるのに対し、実施例２はラミネートセル１０が水平方向に挿入されるタイプのものである。なお、同様な部分については同じ参照符号を付して説明を省略することがある。
【００３８】
この電池間接続装置は、絶縁性のベース２１、ベース２１に嵌合される絶縁性のカバー３１、及びベース２１に組み込まれる金属製のバスバー４０を基本的部品として含み、さらに、バスバー４０に接続される電源用及び温度モニタ用のコネクタ５０とこれらのコネクタに付随するケーブル６０とを含んでいる。
【００３９】
ベース２１には、ラミネートセル１０の整列と位置決めを行う為の位置決め用スリット２１ａと、ラミネートセル１０の電極１０ａを挿入するための電極挿入用スリット２１ｆとが設けられている。スリット２１ａ及び２１ｆはいずれも、ベース２１の左右側面にそれぞれ開口している。スリット２１ｆはベース２１の上面側にも開口しており、その開口部分は接合用スリット２１ｅを形成している。また、電極挿入用スリット２１ｆを規定する対の側壁には、ベース２１の左右側面近傍に、傾斜面からなる面取り２１ｄが施されている。具体的には、電極挿入用スリット２１ｆを規定する対の側壁のうち、ベース２１の左側面近傍では一方に、ベース２１の右側面近傍では他方に、面取り２１ｄが形成されている。バスバー４０は、実施例１のバスバーと同じ構成のものであり、出力用ピン４０ａと、ＣＳ用ピン４０ｂと、互いに平行な複数の電極接合部４０ｃとを有している。
【００４０】
次に、電池間接続装置の組立工程及びこれによる電池接続工程を説明する。
【００４１】
まずベース２１にバスバー４０を電極接合部４０ｃが電極挿入用スリット２１ｆにそれぞれ配置された状態に組み込んでおく。続いてラミネートセル１０をベース２１のスリット２１ａに側方から挿入する。このラミネートセル１０の挿入途中でラミネートセル１０の電極１０ａが電極挿入用スリット２１ｆに挿入され、次いで面取り２１ｄに干渉する。
【００４２】
さらにラミネートセル１０を押し込んでいくと、電極１０ａは面取り２１ｄに沿ってそれぞれバスバー４０の電極接合部４０ｃに向かって倒れるように変形をする（特に図２４〜図２８参照）。このとき、面取り２１ｄは上述した作用面として働き、電極１０ａの先端部を接合用スリット２１ｅに対向した状態にさせる。
【００４３】
ラミネートセル１０の挿入が完了した後、ベース２１をカバー３１に嵌合させる。すると、スリット２１ａはカバー３１の側壁３１ｅで覆われる為、ラミネートセル１０がベース２１から抜け出ることは無い。カバー３１に設けられたラッチ部３１ｃがベース２１のバネ部２１ｃに引っかかり、嵌合が完了となる。
【００４４】
続いて、電極１０ａをバスバー４０に接続する工程を説明する。先に述べたように、ラミネートセル１０の挿入により電極１０ａが既に変形し、その先端部が接合用スリット２１ｅに対向している。この為、図２９に示すように接合用スリット２１ｅから溶着ヘッド７０を挿入すると、溶着ヘッド７０に押されて電極１０ａが自動的に折り重なるように変形し、図３０に示すように電極接合部４０ｃに圧接される。したがって、多数の電極１０ａを一括でバスバー４０に容易に接続できる。接続方法としては主に溶接や溶着が挙げられる。以上の工程によりラミネートセル１０は連結される。
【００４５】
なお、図１５に示す変形例と同様、図３１に示すように、ラミネートセル１０の位置決め用スリット２１ａ及び面取り２１ｄに上下方向の段差を設けてもよい。これによれば、溶着時に電極１０ａが互いに干渉する事を防ぎ、より確実に溶着を行うことが可能となる。
【００４６】
最後に、コネクタ５０をバスバー４０に接続し、接続完了となる（図３２及び図３３参照）。即ち、バスバー４０の出力用ピン４０ａに正極ケーブル６０ａ及び負極ケーブル６０ｂをそれぞれ接続し、また、バスバー４０のＣＳ用ピン４０ｂにＣＳケーブル６０ｃを接続する。これにより、すべてのラミネートセル１０の電極端子（正極）における温度モニタリング等ができる。
【００４７】
図３４〜図４０を用いて、実施例３に係る電池間接続装置を説明する。なお、同様な部分については同じ参照符号を付して説明を省略することがある。
【００４８】
この電池間接続装置は、絶縁性のベース２０、ベース２０に嵌合される絶縁性のカバー３２、及びカバー３２に組み込まれる金属製のバスバー４２を基本的部品として含み、さらに、バスバー４２に接続される電源用及び温度モニタ用のコネクタ５２とこれらのコネクタに付随するケーブル６０とを含んでいる。ここで、ベース２０は実施例１と同一のものである。
【００４９】
この電池間接続装置において、カバー３２の下面側には、ラミネートセル１０の電極１０ａを挿入するための電極挿入用スリット３２ａが設けられている。電極挿入用スリット３２ａの奥部には、傾斜面からなる面取り３２ｂが施されている。またカバー３２の上面側には、溶着ヘッドを挿入するための接合用スリット３２ｄが予め設けられている。
【００５０】
バスバー４２は、コネクタ接続側を鉛直方向へ折り曲げてなる出力用ピン４２ａ及びＣＳ用ピン４２ｂを有している。このようにバスバー４２の出力用ピン４２ａ及びＣＳ用ピン４２ｂの向きを統一し、これら出力ピン４２及びＣＳ用ピン４２ｂをカバー３２のコネクタ嵌合部３２ｆにまとめて配置することで、接続すべき複数のケーブル６０の各コネクタをコネククタ５２として一体化することが可能となる。したがって、ケーブル６０の嵌合接続されたコネククタ５２を、カバー３２のコネクタ嵌合部３２ｆに沿って挿通し、嵌合接続を行うことができる。これにより、コネククタ５２の嵌合作業時間の短縮を図れる。
【００５１】
ベース２０にカバー３２を嵌合させる過程で、電極挿入用スリット３２ａ内の面取３２ｂの作用によりラミネートセル１０の電極１０ａが変形し、一括で溶着が可能となる点は、実施例１と同様であるため、説明を省略する。また、最終嵌合形態についても実施例１と同様であるため、説明を省略する。
【００５２】
図４１〜図４４を用いて、実施例４に係る電池間接続装置を説明する。なお、同様な部分については同じ参照符号を付して説明を省略することがある。
【００５３】
この電池間接続装置は、絶縁性のベース２０、ベース２０に嵌合される絶縁性のカバー３２、及びカバー３２に組み込まれる金属製のバスバー４２を基本的部品として含み、さらに、カバー３２のコネクタ嵌合部３２ｆに接続される電源用及び温度モニタ用のコネクタ５３とこれらのコネクタ５３が実装される基板８３とを含んでいる。
【００５４】
この電池間接続装置において、コネクタ５３は基板実装用端子（ＳＭＴ）５３ａが設けられ、これを用いることにより基板実装を可能にしている。また、基板実装用端子５３ａは基板８３のパッド８３ａ上に実装し、ケーブルに替えてパターン８３ｂで引き回しを行うことができ、これにより設計自由度を上げることができる。なお、ベース２０は実施例１及び実施例３のもの、カバー３２及びバスバー４２は実施例３のものと同一である。
【００５５】
図４４は実装完了後の状態を示す要部のみの断面図である。コネクタ嵌合部３２ｆにコネクタ５３が挿入される際、バスがー４２のピン４２ａ（４２ｂ）により端子５３ａのバネ５３ｂが押し広げられるように変形し、両端から押さえ込むように嵌合接続が成される。またこの時、カバー３２のコネクタ嵌合部３２ｆが一段押し出た形状となっているため、カバー３２の中央部底面と基板８３上には空間部が生じる。このため、この空間部にも他部品を実装することが可能であり、結果として高密度実装ができる。
【００５６】
以下に、本発明のその他の様々な態様を付記する。
【００５７】
（付記１）シート状の電極を具備する複数のセル電池と、セル電池の電極同士を直列及び／または並列に電気的に接続する導電性のバスバーと、セル電池が収納されるベースハウジング（以下べース）と、バスバーが保持されているカバーハウジング（以下カバー）とから成り、ベースにカバーをセットした時、電極先端がバスバーより上方に突出する電気デバイスにおいて、ベースにカバーをセットする過程において、電極がバスバー側方を通過した後、電極先端がバスバーの上側空間内に張り出し、その状態で電極がバスバーに接合が可能なことを特徴とする電気デバイス。
【００５８】
（付記２）付記１において、カバーには上下に貫通するスリットが設けられており、カバーの下側にはスリットに連なる斜面が形成されていて、バスバー側方を通過した電極先端が斜面に当接した後、スリット下方に張り出すことを特徴とする電気デバイス。
【００５９】
（付記３）付記２において、バスバーを挟むように両側に電極が配され、双方の電極が互いにバスバーの上面で重なり合うように張り出す際、上側になる電極先端の当接する斜面が、下側になる電極先端の当接する斜面より高い位置にあることを特徴とする電気デバイス。
【００６０】
（付記４）付記２において、バスバーを挟むように両側に電極が配され、かつバスバーの軸に沿って双方の電極が互いに重ならないようにずれており、バスバーの上面に張り出すことを特徴とする電気デバイス。
【００６１】
（付記５）付記２から付記４のいずれかにおいて、複数のスリットと、各スリットに挿通される複数の平板状部材が一体化された押圧部材によって、各スリットの中で、電極バスバーに押圧固定されることを特徴とする電気デバイス。
【００６２】
（付記６）付記５において、押圧部材には、超音波印加が可能で、各電極をバスバーに押圧した状態で超音波を印加することで、一括して超音波接合することが可能であることを特徴とする電気デバイス。
【００６３】
（付記７）付記５において、押圧部材の各平板状部材には、スリットと平行に貫通孔が形成されていて、レーザー光を照射することで、各電極をバスバーにレーザー溶接可能であることを特徴とする電気デバイス。
【００６４】
（付記８）シート状の電極を具備する複数のセル電池と、セル電池の電極同士を直列及び／または並列に電気的に接続する導電性のバスバーと、セル電池が収納されるベースハウジング（以下ベース）と、バスバーが保持されているカバーハウジング（以下カバー）とから成り、ベースにカバーをセットした時、電極先端がバスバーより上方に突出する電気デバイスにおいて、セル電池群をカバー側方よりスライドさせてセットする過程において、電極先端がバスバーの上側空間内に張り出し、その状態で電極がバスバーに接合が可能なことを特徴とする電気デバイス。
【００６５】
（付記９）前記付記８において、バスバーを挟むように両側に電極が配され、セル電池群をカバー側方よりスライドさせてセットする過程において、双方の電極が互いにバスバーの上面で重なり合うように張り出す際、上側になる電極先端の当接する拘束面が、下側になる電極先端の当接する拘束面より奥側の位置にあることを特徴とする電気デバイス。
【００６６】
（付記１０）付記１又は付記２又は付記８において、付記１及び付記２を満足する斜面、付記７を満足する拘束面を有しており、カバーとは異なる同機能の部材をもって接合させた後に、当該部材を取り除き、その後カバーを後工程で組み付けたことを特徴とする電気デバイス。
【００６７】
（付記１１）付記１から付記１０のいずれかにおいて、電源用コネクタ及びセンシング用コネクタを一体化させ、実装工程の簡略化を実現させたことを特徴とする電気デバイス。
【００６８】
（付記１２）前記付記１から付記１０のいずれかにおいて、電源用コネクタ及びセンシング用コネクタを基板実装用（ＳＭＴコネクタ）とし、セルパッケージを基板実装可能とすることを特徴とする電気デバイス。
【００６９】
上述では特定の幾つかの実施例を用いて説明したが、本発明はこれらの実施例に限られることなく、それらの組み合わせや様々な変形が可能であり、それらも本発明の範囲に含まれることは言うまでもない。
【産業上の利用可能性】
【００７０】
本発明は、ラミネートセルなどのセル電池を複数接続してなるバッテリや、それらのセル電池を積層状態でケースに収容してなるバッテリモジュールに適用できる。
【符号の説明】
【００７１】
１０  ラミネートセル（セル電池）
１０ａ  薄板状の電極
２０、２１  ベース（ハウジング）
２０ａ、２１ａ  位置決め用スリット
２０ｂ、２１ｂ  位置決め用ガイド
２０ｅ、２１ｃ  係止用バネ部
２１ｄ  面取り（傾斜面）
２１ｅ  接合用スリット
２１ｆ  電極挿入用スリット
３０、３１、３２  カバー（ハウジング）
３０ａ、３２ａ  電極挿入用スリット
３０ｂ、３２ｂ  面取り（傾斜面）
３０ｃ、３１ｃ、３２ｃ  ラッチ
３０ｄ、３２ｄ  接合用スリット
３１ｅ  側壁
３０ｆ、３２ｆ  コネクタ嵌合部
４０、４２  バスバー
４０ａ、４２ａ  出力用ピン（コンタクト部）
４０ｂ、４２ｂ  ＣＳ用ピン
４０ｃ  電極接合部
５０、５２、５３  コネクタ
５３ａ  基板実装用端子
５３ｂ  バネ部
６０  ケーブル
６０ａ  正極用ケーブル
６０ｂ  負極用ケーブル
６０ｃ  ＣＳ用ケーブル
７０  溶着ヘッド
８３  基板
８３ａ  パッド
８３ｂ  パターン
【図１】
0005582815.tif 000002
【図２】
0005582815.tif 000003
【図３】
0005582815.tif 000004
【図４】
0005582815.tif 000005
【図５】
0005582815.tif 000006
【図５Ａ】
0005582815.tif 000007
【図６】
0005582815.tif 000008
【図７】
0005582815.tif 000009
【図８】
0005582815.tif 000010
【図９】
0005582815.tif 000011
【図１０】
0005582815.tif 000012
【図１０Ａ】
0005582815.tif 000013
【図１１】
0005582815.tif 000014
【図１２】
0005582815.tif 000015
【図１２Ａ】
0005582815.tif 000016
【図１３】
0005582815.tif 000017
【図１４】
0005582815.tif 000018
【図１５】
0005582815.tif 000019
【図１５Ａ】
0005582815.tif 000020
【図１５Ｂ】
0005582815.tif 000021
【図１６】
0005582815.tif 000022
【図１７】
0005582815.tif 000023
【図１８】
0005582815.tif 000024
【図１９】
0005582815.tif 000025
【図２０】
0005582815.tif 000026
【図２１】
0005582815.tif 000027
【図２２】
0005582815.tif 000028
【図２３】
0005582815.tif 000029
【図２４】
0005582815.tif 000030
【図２５】
0005582815.tif 000031
【図２６】
0005582815.tif 000032
【図２７】
0005582815.tif 000033
【図２８】
0005582815.tif 000034
【図２９】
0005582815.tif 000035
【図３０】
0005582815.tif 000036
【図３１】
0005582815.tif 000037
【図３１Ａ】
0005582815.tif 000038
【図３１Ｂ】
0005582815.tif 000039
【図３２】
0005582815.tif 000040
【図３３】
0005582815.tif 000041
【図３４】
0005582815.tif 000042
【図３５】
0005582815.tif 000043
【図３６】
0005582815.tif 000044
【図３７】
0005582815.tif 000045
【図３８】
0005582815.tif 000046
【図３９】
0005582815.tif 000047
【図４０】
0005582815.tif 000048
【図４１】
0005582815.tif 000049
【図４２】
0005582815.tif 000050
【図４３】
0005582815.tif 000051
【図４４】
0005582815.tif 000052
【図４５】
0005582815.tif 000053